(57)【要約】【課題】通信相手の現状を直感的に確認すること。【解決手段】本発明の情報処理装置は、通信相手の側の現状を示すプレゼンス情報を外部から取得する通信部と、前記通信部による前記通信相手との通信状態を判定する通信判定部と、前記プレゼンス情報に基づき前記通信相手の側の現状を表す画像を、前記通信相手毎に割り当てられた表示領域にそれぞれ表示させる表示制御部と、を備え、前記表示制御部は、前記通信相手の側の端末のアクセス設定が他の端末からのアクセスを不許可とする設定である場合に、当該不許可と設定されている前記通信相手に割り当てられた前記表示領域に、前記通信判定部による判定結果が示す通信状態に応じてそれぞれ異なる画像を表示させる。【選択図】図１
2014192714.tif 000002
【特許請求の範囲】
【請求項１】
通信相手の側の現状を示すプレゼンス情報を外部から取得する通信部と、
前記通信部による前記通信相手との通信状態を判定する通信判定部と、
前記プレゼンス情報に基づき前記通信相手の側の現状を表す画像を、前記通信相手毎に割り当てられた表示領域にそれぞれ表示させる表示制御部と、
を備え、
前記表示制御部は、
前記通信相手の側の端末のアクセス設定が他の端末からのアクセスを不許可とする設定である場合に、当該不許可と設定されている前記通信相手に割り当てられた前記表示領域に、前記通信判定部による判定結果が示す通信状態に応じてそれぞれ異なる画像を表示させる
ことを特徴とする情報処理装置。
【請求項２】
前記表示制御部は、
前記通信判定部の判定結果が示す通信状態が正常である場合、スノーノイズの動画像を前記表示領域に表示させ、
前記通信判定部の判定結果が示す通信状態が異常である場合、スノーノイズの静止画像を前記表示領域に表示させる
ことを特徴とする請求項１に記載の情報処理装置。
【請求項３】
前記表示制御部は、
前記通信相手の側の端末のアクセス設定が他の端末からのアクセスを許可とする設定である場合に、当該許可と設定されている前記通信相手に割り当てられた前記表示領域に、前記通信判定部による判定結果が示す通信状態に応じてそれぞれ異なる画像を表示させる
ことを特徴とする請求項１又は２に記載の情報処理装置。
【請求項４】
前記表示制御部は、
前記通信相手の側の端末のアクセス設定が他の端末からのアクセスを許可とする設定である場合であって、前記通信判定部の判定結果が示す通信状態が正常である場合、前記プレゼンス情報に基づき前記通信相手の側の現状を表す画像を前記表示領域に表示させ  前記通信相手の側の端末のアクセス設定が他の端末からのアクセスを許可とする設定である場合であって、前記通信判定部の判定結果が示す通信状態が異常である場合、前記通信相手の側の現状を表す画像に所定の画像加工処理を行った画像を前記表示領域に表示させる
ことを特徴とする請求項１から３のいずれか１項に記載の情報処理装置。
【請求項５】
前記所定の画像加工処理は、前記通信相手の側の現状を表す画像をゴースト障害を模した画像とする画像加工処理である
ことを特徴とする請求項４に記載の情報処理装置。
【請求項６】
前記所定の画像加工処理は、前記通信相手の側の現状を表す画像をパルスノイズを模した画像とする画像加工処理である
ことを特徴とする請求項４に記載の情報処理装置。
【請求項７】
前記所定の画像加工処理は、前記通信相手の側の現状を表す画像をスノーノイズを模した画像とする画像加工処理である
ことを特徴とする請求項４に記載の情報処理装置。
【請求項８】
通信相手の側の現状を示すプレゼンス情報を外部から取得するステップと、
前記通信相手との通信状態を判定するステップと、
前記プレゼンス情報に基づき前記通信相手の側の現状を表す画像を、前記通信相手毎に割り当てられた表示領域にそれぞれ表示させるステップと
前記通信相手の側の端末のアクセス設定が他の端末からのアクセスを不許可とする設定である場合に、当該不許可と設定されている前記通信相手に割り当てられた前記表示領域に、前記判定の結果が示す通信状態に応じてそれぞれ異なる画像を表示させるステップと、
を備えることを特徴とする表示方法。
【請求項９】
コンピュータに、
通信相手の側の現状を示すプレゼンス情報を外部から取得するステップ、
前記通信相手との通信状態を判定するステップ、
前記プレゼンス情報に基づき前記通信相手の側の現状を表す画像を、前記通信相手毎に割り当てられた表示領域にそれぞれ表示させるステップ、
前記通信相手の側の端末のアクセス設定が他の端末からのアクセスを不許可とする設定である場合に、当該不許可と設定されている前記通信相手に割り当てられた前記表示領域に、前記判定の結果が示す通信状態に応じてそれぞれ異なる画像を表示させるステップとを実行させることを特徴とするプログラム。
【発明の詳細な説明】
【技術分野】
【０００１】
本発明は、ユーザの現在の状況を示す情報を表示する情報処理装置、表示方法及びプログラムに関する。
【背景技術】
【０００２】
インスタントメッセージングを利用した通信システムの一例が、特許文献１に記載されている。このインスタントメッセージングは、一般に、ネットワーク上で所定の通信用アプリケーションを利用している相手がオンラインである（つまりログインしている）場合にチャットやファイル転送などを相互に行う機能を意味する。このインスタントメッセージングには、通信相手がオンラインであるか否かを知るため、プレゼンス情報の提示機能が設けられている場合がある。このプレゼンス情報とは、通信相手が、いまどのような状態にあるのかということを示す情報である。
【０００３】
上記特許文献１に記載されているシステムでは、プレゼンス情報の提示処理が次のように行われる。まず、ユーザが、アプリケーションに対してプレゼンス情報の表示を指示し、続いてプレゼンス情報の取得対象となる通信相手のユーザ名を指定する。アプリケーションは、プレゼンス管理サーバにアクセスし、プレゼンス情報を取得する。そして、アプリケーションは、取得したプレゼンス情報を表示部に表示する。
表示部には、各ユーザのユーザ名等を表示する表示領域と、ユーザ状況と通信状況とを表示する表示領域とが設けられている。そして、後者の表示領域では、ユーザ状況と通信状況とが次のように表示される。すなわち、食事中、会議中又は移動中であるか及び通信可又は通信不可であるか（すなわちアクセスの許可／不許可）を示すユーザ状況が、文字によって示されている。また、通信状況は、利用者端末の種別を表すアイコンと通信不良を示す“×”マークの組み合わせの有り又は無しであることを表す画像によって示されている。
【先行技術文献】
【特許文献】
【０００４】
【特許文献１】特開２００５−５７７０６号公報
【発明の概要】
【発明が解決しようとする課題】
【０００５】
特許文献１に記載された技術によれば、ユーザは、プレゼンス情報の提示機能によって、通信相手に対してアクセスが許可されているのか否かという情報と、当該通信相手との通信に不具合があるのか否かという情報とを同時に確認することができる。ただし、これら２つの情報は、一方が文字で、他方が画像で表されている。このため、ユーザは、２つの情報を確認する際に、文字を認識する動作と画像を認識する動作の２つの動作を同時に行うことになる。そのため、ユーザは、通信相手の現状を直感的に確認することが困難であった。
【０００６】
本発明は、上記の課題を解決することができる情報処理装置、表示方法及び表示プログラムを提供することを目的とする。
【課題を解決するための手段】
【０００７】
上記課題を解決するため、本発明の情報処理装置は、通信相手の側の現状を示すプレゼンス情報を外部から取得する通信部と、前記通信部による前記通信相手との通信状態を判定する通信判定部と、前記プレゼンス情報に基づき前記通信相手の側の現状を表す画像を、前記通信相手毎に割り当てられた表示領域にそれぞれ表示させる表示制御部と、を備え、前記表示制御部は、前記通信相手の側の端末のアクセス設定が他の端末からのアクセスを不許可とする設定である場合に、当該不許可と設定されている前記通信相手に割り当てられた前記表示領域に、前記通信判定部による判定結果が示す通信状態に応じてそれぞれ異なる画像を表示させる。
【０００８】
また、本発明の表示方法は、通信相手の側の現状を示すプレゼンス情報を外部から取得するステップと、前記通信相手との通信状態を判定するステップと、前記プレゼンス情報に基づき前記通信相手の側の現状を表す画像を、前記通信相手毎に割り当てられた表示領域にそれぞれ表示させるステップと、前記通信相手の側の端末のアクセス設定が他の端末からのアクセスを不許可とする設定である場合に、当該不許可と設定されている前記通信相手に割り当てられた前記表示領域に、前記判定の結果が示す通信状態に応じてそれぞれ異なる画像を表示させるステップと、を備える。
【０００９】
また、本発明に係るプログラムの一態様は、コンピュータに、通信相手の側の現状を示すプレゼンス情報を外部から取得するステップ、前記通信相手との通信状態を判定するステップ、前記プレゼンス情報に基づき前記通信相手の側の現状を表す画像を、前記通信相手毎に割り当てられた表示領域にそれぞれ表示させるステップ、前記通信相手の側の端末のアクセス設定が他の端末からのアクセスを不許可とする設定である場合に、当該不許可と設定されている前記通信相手に割り当てられた前記表示領域に、前記判定の結果が示す通信状態に応じてそれぞれ異なる画像を表示させるステップとを実行させることを特徴とするプログラムである。
【発明の効果】
【００１０】
本発明によれば、通信相手の現状を直感的に確認することができる。
【図面の簡単な説明】
【００１１】
【図１】本発明に係る情報処理装置の一実施形態の基本的な構成例を示したブロック図である。
【図２】図１に示した情報処理装置を含むインスタントメッセージングを利用する通信システムの構成例を示したブロック図である。
【図３】図２に示した情報処理装置によるプレゼンス情報の提示動作の一例を説明するためのフローチャートである。
【図４】図３に示した情報処理装置によるプレゼンス情報の提示動作を説明するための図表である。
【図５】図２に示した情報処理装置によるプレゼンス情報の表示例を示す図である。
【図６】図２に示した情報処理装置によるプレゼンス情報の他の表示例を示す図である。
【発明を実施するための形態】
【００１２】
以下、図面を参照して本発明の実施形態について説明する。
図１は、本発明に係る情報処理装置の一実施形態の基本的な構成例を示したブロック図である。
図１に示す通り、情報処理装置１は、通信部１１と、通信判定部１２と、表示制御部１３とを備えている。
通信部１１は、ネットワークを介して接続される外部端末（通信相手）から当該通信相手の側の現状を示すプレゼンス情報を取得する。
通信判定部１２は、通信部１１による通信相手との通信状態を判定する。
表示制御部１３は、プレゼンス情報に基づき、通信相手の側の現状を表す画像（以下、プレゼンス画像という）を、情報処理装置１が備える所定の表示部（図２参照）に表示されているユーザ毎に割り当てられた表示領域（以下、ユーザ表示領域という）にそれぞれ表示させる。
また、表示制御部１３は、プレゼンス情報に基づいて通信相手の側の外部端末のアクセス設定が他の端末からのアクセスを不許可とする設定である場合に、当該不許可と設定されている端末の通信相手の側に割り当てられたユーザ表示領域に、通信判定部１２による判定結果が示す通信状態に応じてそれぞれ異なる画像を表示させる。
【００１３】
次に、図２を参照して、図１に示した情報処理装置１を、インスタントメッセージングを利用した通信システムで用いる場合の構成例について説明する。図２において、図１に示した構成と同一の構成には、同一の符号を用いている。
図２に示したインスタントメッセージングを利用した通信システム１００は、複数の情報処理装置１ａ，１ｂ，１ｃ…と、通信網２と、インスタントメッセージングサーバ３と、プレゼンス情報管理サーバ４とを備えている。
複数の情報処理装置１ａ，１ｂ，１ｃ…は、図１の情報処理装置１に対応する構成である。
通信網２は、例えば、公衆携帯電話網、広域通信網、インターネット、有線ＬＡＮ（ローカルエリアネットワーク）無線ＬＡＮ等の単独又は組み合わせからなるネットワークである。
インスタントメッセージングサーバ３は、インスタントメッセージングを利用したサービスを提供するためのサーバである。
プレゼンス情報管理サーバ４は、インスタントメッセージングを利用したサービスで使用されるプレゼンス情報を管理するためのサーバである。
ただし、インスタントメッセージングサーバ３とプレゼンス情報管理サーバ４は、一体として構成されていてもよく、各サーバが管理する情報を相互で共有することができるような構成であってもよい。
【００１４】
なお、本実施形態において、インスタントメッセージングを利用した通信システムとは、ネットワーク上で所定の通信用アプリケーションを利用している通信相手がオンラインである場合に、チャットやファイル転送などを相互に行うシステムである。なお、通信相手は、予めユーザによって設定可能であって、本実施形態では、グループ毎にユーザによって決められる複数のユーザである。その際、各情報処理装置１ａ，１ｂ，１ｃ…間で送受信される情報は、インスタントメッセージングサーバ３を介して転送され、又は、インスタントメッセージングサーバ３の管理下で直接送受信される。
【００１５】
具体的に説明すると、本実施形態において、プレゼンス情報は、ユーザが、他のユーザからのアクセスを許可している状態であるか、又は、アクセスを不許可としている状態であるかを示す情報（以下、アクセス可否情報という）を少なくとも含むものであってもよい。なお、このアクセス可否情報は、各情報処理装置１ａ，１ｂ，１ｃ…において設定可能である。これら情報処理装置１ａ，１ｂ，１ｃ…は、例えば、入力部１４を介して、アクセス設定として、他の情報処理装置１ａ，１ｂ，１ｃ…からのアクセスを許可又は不許可とする設定を受け付けることができる。
また、本実施形態において、プレゼンス情報は、アクセス可否情報に加え、例えば、「仕事中」「移動中」「自宅」「ヒマ」「多忙」「誰々と一緒」というように、ユーザの現状を示す情報（以下、ユーザ現状情報という）を含むものであってもよい。なお、これらユーザ現状情報は、各情報処理装置１ａ，１ｂ，１ｃ…において設定可能である。これら情報処理装置１ａ，１ｂ，１ｃ…は、例えば、入力部１４を介して、予め決められた複数の現状「仕事中」「移動中」「自宅」「ヒマ」「多忙」「誰々と一緒」…から一が選択された場合、選択された現状をユーザの現状として設定することができる。
また、本実施形態において、プレゼンス情報は、他のユーザの情報処理装置１によるネットワークへの通信状態が正常であるか、又は、通信状態が異常であるかを示す情報（以下、通信状態情報という）を含むものであってもよい。なお、これら通信状態が正常であるか又は異常であるかを示す情報は、例えば、各情報処理装置１ａ，１ｂ，１ｃ…の通信判定部１２による判定結果に基づく情報である。
【００１６】
また、本実施形態において、プレゼンス情報とは、通信の当事者となるユーザの現状又はそのユーザが利用している情報処理装置の現状を示す情報である。ここでは、ユーザの現状、又は、そのユーザが利用している情報処理装置の現状のうち、少なくともいずれか一方を示す情報を、通信相手の側の現状を示すプレゼンス情報という。つまり、プレゼンス情報とは、通信相手の側の現状を示す複数の情報のうち少なくとも一つ含む情報である。
各情報処理装置１ａ，１ｂ，１ｃ…が保持する当該装置のプレゼンス情報は、例えば、更新日時を表す情報とあわせて、プレゼンス情報管理サーバ４において、ユーザ毎に管理され、プレゼンス情報管理サーバ４から他の情報処理装置１ａ，１ｂ，１ｃ…に提供される。なお、プレゼンス情報管理サーバ４は、プレゼンス情報を提供する場合、各情報処理装置１ａ，１ｂ，１ｃ…に対して、プレゼンス情報の更新日時を表す情報や、当該情報処理装置１ａ，１ｂ，１ｃ…がオンラインであるか否かを示す情報を、プレゼンス情報の提供と同時に提供できるようにしてもよい。
【００１７】
なお、通信状態が正常であるとは、少なくとも自情報処理装置１ａによる通信網２への通信状態が正常であることをいう。なお、他の情報処理装置１ｂ，１ｃ、…の通信状態が正常であるとは、他の情報処理装置１ｂ，１ｃ、…による通信網２への通信状態が正常であることとをいう。
具体的に説明すると、自情報処理装置１ａの通信状態が正常であるとは、自情報処理装置１ａと、インスタントメッセージングサーバ３及びプレゼンス情報管理サーバ４と間で、通信網２を介した所定の通信を行うことができる状態を意味する。なお、自情報処理装置１ａの通信状態が正常であるとは、自情報処理装置１ａと、インスタントメッセージングサーバ３及びプレゼンス情報管理サーバ４、あるいは他の情報処理装置１ｂ，１ｃ、…との間で、通信網２を介した所定の通信を行うことができる状態を意味するものであってもよい。
また、他の情報処理装置１ｂ，１ｃ…の通信状態が正常であるとは、他の情報処理装置１ｂ，１ｃ…と、インスタントメッセージングサーバ３及びプレゼンス情報管理サーバ４との間で、通信網２を介した所定の通信を行うことができる状態を意味する。
【００１８】
一方、通信状態が異常であるとは、上記した通信状態が正常である場合に接続されている通信が接続できない状態を意味する。例えば、通信状態が異常であるとは、情報処理装置１ａ，１ｂ，１ｃ…において、所定の通信用アプリケーションが起動していない場合等がある。また、通信状態が異常であるとは、情報処理装置１ａ，１ｂ，１ｃ…において、所定の通信用アプリケーションによってインスタントメッセージングサーバ３等へのログインがなされていない場合（あるいはオンラインではない場合）等がある。さらに、通信状態が異常であるとは、情報処理装置１ａ，１ｂ，１ｃ…と、インスタントメッセージングサーバ３又はプレゼンス情報管理サーバ４との間で所定の時間間隔で行われるべき情報の送受信が、所定の時間間隔以上行われていない状態を含む。
【００１９】
複数の情報処理装置１ａ，１ｂ，１ｃ…は、例えば、スマートフォン、携帯電話機、パーソナルコンピュータ、タブレット型端末等の情報処理装置として構成することができる。図２に示した例では、情報処理装置１ａが、ＣＰＵ（中央処理装置）１０と、通信部１１と、入力部１４と、記憶部１５と、表示部１６とを備えている。なお、他の情報処理装置１ｂ，１ｃ…も、情報処理装置１ａと同様の構成を有するものであり、詳細な説明は省略する。
【００２０】
ＣＰＵ１０は、記憶部１５等の所定の記憶装置に記憶されているプログラムを実行することで各部を制御する。本実施形態において、ＣＰＵ１０は、インスタントメッセージングクライアント・アプリケーション、インスタントメッセンジャー等と呼ばれる所定の通信用アプリケーションを実行することで、通信判定部１２、表示制御部１３等として動作する。これら通信用アプリケーションは、通信部１１を介して、インスタントメッセージングサーバ３やプレゼンス情報管理サーバ４との間で、インスタントメッセージングを利用するサービスにおいて一般的に用いられる各種情報を送受信するためのアプリケーションである。これら各種情報としては、例えば、ログイン／ログオフ情報、各種メッセージ、プレゼンス情報等が含まれる。
【００２１】
通信部１１は、有線ネットワークや無線ネットワークを介して外部装置と接続する通信装置であって、例えば、通信網２を介して接続されるインスタントメッセージングサーバ３及びプレゼンス情報管理サーバ４との間で所定の情報の送受信を行う。また、この通信部１１は、他の情報処理装置１ｂ，１ｃ…との間で所定の情報の送受信を行う。
具体的に説明すると、通信部１１は、通信網２を介して、インスタントメッセージングサーバ３との間で、認証情報や各種メッセージを表す情報の送受信を行う。また、この通信部１１は、通信網２を介し、プレゼンス情報管理サーバ４との間で、例えばユーザが設定したプレゼンス情報を、任意のタイミング又は所定の間隔で送信したり、他の情報処理装置１ｂ，１ｃ…に設定されているプレゼンス情報を取得（受信）したりする。
なお、通信部１１は、通信網２に含まれる１又は複数の通信網に対して選択的にあるいは並列的に接続する。
【００２２】
通信判定部１２は、自情報処理装置１ａと、インスタントメッセージングサーバ３、プレゼンス情報管理サーバ４、又は他の情報処理装置１ｂ，１ｃ…との間で所定の通信を実行した際に、通信が正常に実行できた場合、通信部１１による通信状態が正常であると判定する。言い換えると、自情報処理装置１ａによる通信網２への通信状態が正常である場合、自情報処理装置１ａの通信判定部１２は、自情報処理装置１ａの通信部１１による通信状態が正常であると判定する。また、他の情報処理装置１ｂ，１ｃ…による通信網２への通信状態が正常である場合、自情報処理装置１ａの通信判定部１２は、他の情報処理装置１ｂ，１ｃ…の通信部１１による通信状態が正常であると判定する。
【００２３】
一方、自情報処理装置１ａの通信判定部１２は、各情報処理装置１ａ，１ｂ，１ｃ…の通信部１１を介して所定の通信を実行した際、各通信部１１により通信が正常に実行できなかった場合、各通信部１１による通信状態が異常であると判定する。言い換えると、自情報処理装置１ａによる通信網２への通信状態が異常である場合、自情報処理装置１ａの通信判定部１２は、自情報処理装置１ａの通信部１１による通信状態が異常であると判定する。また、他の情報処理装置１ｂ，１ｃ…による通信網２への通信状態が異常である場合、自情報処理装置１ａの通信判定部１２は、他の情報処理装置１ｂ，１ｃ…の通信部１１による通信状態が異常であると判定する。
具体的説明すると、通信判定部１２は、次の場合に、通信部１１による他の情報処理装置１ｂ，１ｃ…（通信相手）との通信状態が異常であると判定する。すなわち、通信判定部１２は、通信部１１を介して、インスタントメッセージングサーバ３、プレゼンス情報管理サーバ４等に対して、他の情報処理装置１ｂ，１ｃ…のログイン状態を示す情報を受信したり、プレゼンス情報の送信を要求したとする。この場合、他の情報処理装置１ｂ，１ｃがログインされていない場合や、所定の時間内に更新された他の情報処理装置１ｂ，１ｃのプレゼンス情報が受信できない場合には、通信部１１による情報処理装置１ｂ，１ｃとの通信状態が異常であると判定する。
【００２４】
また、通信判定部１２は、プレゼンス情報管理サーバ４等から他の情報処理装置１ｂ，１ｃ…のプレゼンス情報を受信し、プレゼンス情報の更新が所定の時間内に行われていた場合、通信部１１による他の情報処理装置１ｂ，１ｃ…（通信相手）との通信状態が正常であると判定する。この通信判定部１２は、例えば、プレゼンス情報の作成日時に基づき、プレゼンス情報の更新が所定の時間内に行われているか否かを判定することができる。
【００２５】
表示制御部１３は、プレゼンス情報を表示部１６に表示することがユーザによって指示され、この指示操作を入力部１４が受け付けた場合、他の情報処理装置１ｂ，１ｃ…のプレゼンス情報に基づき通信相手の現状を表すプレゼンス画像を、表示部１６における通信相手毎に割り当てられたユーザ表示領域にそれぞれ表示させる。
また、表示制御部１３は、プレゼンス情報に含まれるアクセス可否情報に基づき、通信相手の側の端末のアクセス設定が他の端末からのアクセスを不許可とする設定であると判定した場合に、当該不許可と設定されている通信相手のユーザに割り当てられたユーザ表示領域に、通信判定部１２による通信状態の判定結果が示す通信状態に応じてそれぞれ異なる画像を表示させる。ここで、表示制御部１３が表示する画像は、例えば、記憶部１５に記憶しておくことができる。また、アクセス許可又は不許可の判定は、通信部１１が直前に取得したプレゼンス情報に含まれるアクセス可否情報や、通信部１１が以前に取得して記憶部１５に記憶していた最新のプレゼンス情報に含まれるアクセス可否情報に基づいて行うことができる。また、表示制御部１３は、アクセス許可／不許可の判定が終了した他の情報処理装置１ｂ，１ｃ…のプレゼンス情報を装置毎に最新のものについて記憶部１５に記憶する。
【００２６】
その際、表示制御部１３は、プレゼンス情報に含まれるアクセス可否情報に基づいて通信相手がアクセス不許可であると判定し、且つ、通信判定部１２の判定結果が正常である場合、当該不許可の通信相手のユーザ表示領域に、そのユーザ表示領域の全体に及ぶノイズが動いている状態を表す動画像（例えば、スノーノイズ動画像）を表示させる。
また、表示制御部１３は、プレゼンス情報に含まれるアクセス可否情報に基づいて通信相手がアクセス不許可であると判定し、且つ、通信判定部１２の判定結果が異常である場合、当該不許可の通信相手のユーザ表示領域に、そのユーザ表示領域の全体に及ぶノイズが静止している状態を表す静止画像（例えば、スノーノイズ静止画像）を表示させる。
本実施形態において、ユーザ表示領域の全体に及ぶノイズは、例えば、スノーノイズ（砂嵐）と呼ばれるノイズとすることができる。スノーノイズとは、アナログテレビの受信画像に現れるノイズの一種で、画面全体に小さく輝度が高い部分が複数ランダムに現れたり消えたりする雪を降らしたような画像の乱れを意味する。
【００２７】
また、表示制御部１３は、プレゼンス情報に含まれるアクセス可否情報に基づいて通信相手がアクセス許可であると判定し、且つ、通信判定部１２の判定結果が正常である場合、当該許可の通信相手のユーザ表示領域に、プレゼンス情報に含まれるユーザ現状情報に基づき、ユーザの現状に応じたプレゼンス画像を表示させる。
【００２８】
一方、表示制御部１３は、プレゼンス情報に含まれるアクセス可否情報に基づいて通信相手がアクセス許可であると判定し、且つ、通信判定部１２の判定結果が異常である場合、当該許可の通信相手のユーザ表示領域に、プレゼンス情報に含まれるユーザ現状情報に基づき、ユーザの現状に応じたプレゼンス画像に、予め決められた所定の画像加工処理を施した画像を表示させる。この予め決められた所定の画像加工処理は、例えば、ゴースト障害を模した画像加工処理とすることができる。また、この予め決められた所定の画像加工処理は、パルスノイズを模した画像加工処理とすることができる。また、この予め決められた所定の画像加工処理は、スノーノイズを模した画像加工処理とすることができる。ここで、ゴースト障害は、テレビの受信画像に現れるノイズの一種で、例えば二重にずれたような画像の乱れを意味する。また、パルスノイズは、テレビの受信画像に現れるノイズの一種で、多数の細く短い横線が流れるように発生する画像の乱れを意味する。つまり、予め決められた所定の画像加工処理とは、表示されているプレゼンス画像の受信状況が不安定であることを表現する画像処理である。
【００２９】
また、入力部１４は、キーボード、マウス、タッチセンサ、マイク、カメラ、加速度センサ、ジャイロセンサ等の入力装置を有し、ユーザの入力部１４に対する所定の操作や動作、音声を検知して、検知した結果をＣＰＵ１０に対して出力する。例えば、入力部１４は、表示部１６と一体として形成されていてタッチパネルとして構成されていてもよい。
【００３０】
記憶部１５は、所定のプログラムや、表示部１６に表示する所定の動画像や静止画像を表すデータを記憶する。また、記憶部１５は、通信部１１が取得した他の情報処理装置１ｂ，１ｃ…のプレゼンス情報について、情報処理装置１ｂ，１ｃ毎に最新のプレゼンス情報を記憶する。なお、記憶部１５に記憶される画像データとしては、例えば、静止画像又は動画像を情報処理装置１ａの外から取得し、一時的に記憶したものであってもよい。また、記憶部１５の一部又は全部は、情報処理装置１ａの外部、例えば、通信網２に接続されている（又は通信網２内に設けられている）外部の装置に設けられていてもよい。
【００３１】
表示部１６は、液晶ディスプレイ等の表示装置を備え、表示制御部１３の制御に従って、通信相手毎のプレゼンス情報に対応した動画像や静止画像、文字情報等を表示する。
【００３２】
次に、図３から図６を参照して、図２に示した情報処理装置１ａが、他の情報処理装置１ｂ，１ｃ…のからのプレゼンス情報に基づき、プレゼンス画像を表示部１６に表示する際の処理の流れの一例について説明する。
図３は、図２に示した情報処理装置１ａによるプレゼンス画像の表示方法の一例を説明するためのフローチャートである。
図４は、図３に示した情報処理装置１ａによるプレゼンス画像の表示方法の一例を説明するための図表である。
図５及び図６は、図２に示した情報処理装置１ａによるプレゼンス画像の表示例を示す正面図である。
なお、本実施形態において、情報処理装置１ａ，１ｂ，１ｃ，１ｄ，１ｅ，１ｆのユーザのユーザ名は、それぞれ、Ａ男，Ｂ子，Ｃ太，Ｄ郎，Ｅ奈，Ｆ斗とする。
【００３３】
図５及び図６は、情報処理装置１ａをタブレット型の端末として構成した場合の外観構成の一例を示している。
図５に示したように、表示部１６には、自身を含めた６人分のユーザ（通信相手）毎に割り当てられたユーザ表示領域１６１ａ〜１６１ｆを含む表示画面が表示されている。また、各ユーザ表示領域１６１ａ〜１６１ｆの上部には、ユーザ名を示すネーム表示領域１６２ａ〜１６２ｆが設けられている。
本実施形態において、プレゼンス情報を共有するグループに属する各ユーザには、テレビ受信機を表現したアイコンが割り当てられている。このテレビ受信機を表現したアイコンのテレビの表示画面の部分が、ユーザ表示領域１６１ａ〜１６１ｆとなっている。
図５において、ユーザ表示領域１６１ａ，１６１ｂ，１６１ｅには、プレゼンス情報の更新が過去３０分以内になされたことを示すオンエアーマーク（ＯＮ ＡＩＲ）１６３ａが表示されている。また、図５及び図６において、ユーザ表示領域１６１ａには、ユーザ（Ａ男）の現状が「ヒマ」であることを示す画像であって、図示の例では、浮き輪で水面に人が浮いているような状態を示す画像１６４ａと、「暇」という文字１６５ａとが表示されている。つまり、ユーザ表示領域１６１ａには、ユーザの現状を示す画像と文字が表示されている。なお、プレゼンス情報を示す画像１６４ａは、静止画像であってもよく、動画像であってもよい。
【００３４】
また、図５に示す例では、ユーザ名「Ｂ子」のユーザ表示領域１６１ｂに、ユーザの現状が「移動中（歩き）」であることを示す画像であって、人が歩いているような状況を示す画像と、「移動中（歩き）」という文字列とが表示されている。なお、図６に示す例では、ユーザ名「Ｂ子」のユーザ表示領域１６１ｂに、ユーザの現状が「移動中（歩き）」であることを示す画像であって、人が歩いているような状況を示す画像に、ゴースト障害を模した画像加工処理がなされている画像が表示されている。
【００３５】
また、図５及び図６において、ユーザ名「Ｃ太」のユーザ表示領域１６１ｃには、当該ユーザの情報処理装置１ｃのアクセス設定が「アクセス不許可」に設定されていることを示す画像（例えば、スノーノイズ）が表示されている。なお、本実施形態において、ユーザ名「Ｃ太」の情報処理装置１ｃの通信状態は「正常」であるため、「アクセス不許可」に設定されていることを示すスノーノイズが動画像として表示されている。
【００３６】
また、図５に示す例では、ユーザ名「Ｄ郎」のユーザ表示領域１６１ｄに、当該ユーザの現状が「仕事中」であることを示す画像であって、人がパーソナルコンピュータのキーボードを操作しているような状況を示す画像と、「仕事中」という文字列とが表示されている。なお、図６に示す例では、ユーザ名「Ｄ郎」のユーザ表示領域１６１ｄに、ユーザの現状が「仕事中」であることを示す画像であって、人がパーソナルコンピュータのキーボードを操作しているような状況を示す画像に、パルスノイズを模した画像加工処理がなされている画像が表示されている。
【００３７】
また、図５に示す例では、ユーザ名「Ｅ奈」のユーザ表示領域１６１ｅに、当該ユーザの現状が「家」にいることを示す画像であって、家を示す画像と、「家」という文字とが表示されている。なお、図６に示す例では、ユーザ名「Ｅ奈」のユーザ表示領域１６１ｅに、ユーザの現状が「家」にいることを示す画像であって、家を示す画像に重畳して、スノーノイズを模した画像加工処理がなされている画像が表示されている。なお、本実施形態では、スノーノイズの下層に「家」にいることを示す画像が薄く見えるような画像加工処理がなされている。
【００３８】
また、図５及び図６において、ユーザ名「Ｆ斗」のユーザ表示領域１６１ｆに、当該ユーザの情報処理装置１ｆのアクセス設定が「アクセス不許可」に設定されていることを示す画像（例えば、スノーノイズ）が表示されている。なお、本実施形態において、ユーザ名「Ｆ斗」の情報処理装置１ｆの通信状態は「異常」であるため、「アクセス不許可」に設定されていることを示すスノーノイズが静止画像として表示されている。
【００３９】
このように、本実施形態において、ユーザ名「Ｃ太」のユーザ表示領域１６１ｃやユーザ名「Ｆ斗」のユーザ表示領域１６１ｆのように、当該ユーザの情報処理装置１ｃ，１ｆのアクセス設定が「アクセス不許可」に設定されていることを示す画像として、スノーノイズ画像を表示させる。ただし、情報処理装置１ｃ，１ｆとの通信状態に応じて、異なる画像をユーザ表示領域１６１ｃ及びユーザ表示領域１６１ｆに表示させる。本実施形態おいて、通信状態が「正常」である場合、表示制御部１３は、スノーノイズ動画を表示可能な状態であることを表現するために、スノーノイズの動画像を表示させる。一方、通信状態が「異常」である場合、表示制御部１３は、スノーノイズ動画を表示できない状態であることを表現するために、スノーノイズの静止画像を表示させる。
【００４０】
次に、図３を参照して、情報処理装置１ａによるプレゼンス画像の表示方法の一例について説明する。なお、情報処理装置１ａは、図３に示す処理を、プレゼンス画像の表示が指示された後、表示対象となっているユーザ毎に、例えば所定時間毎に繰り返し実行される。なお、プレゼンス情報が更新された場合、情報処理装置１ａは、図３に示す処理をステップＳ１に戻って実行する。
【００４１】
（ステップＳ１）
ＣＰＵ１０は、所定の通信アプリケーションを起動する。ログインが完了した後、ユーザによってプレゼンス情報を取得するユーザ名の指定と、プレゼンス情報の表示の指示とがなされると、通信判定部１２は、ステップＳ１の処理を開始する。
つまり、通信判定部１２は、通信部１１による通信相手との通信状態が正常であるか、又は、異常であるかを判定する。具体的に説明すると、通信判定部１２は、対象となるユーザのプレゼンス情報に含まれる通信状態情報に基づき、対象となるユーザの情報処理装置１ａの通信部１１による通信状態が正常か否かを判定する。
【００４２】
なお、プレゼンス情報を取得するユーザ名の指定やプレゼンス情報の表示の指示は、例えば、プレゼンス情報を共有するグループが指定されることによって、入力部１４が受け付けるものであってもよい。なお、このグループが指定されると、情報処理装置１ａは、当該グループに属するメンバーのそれぞれについて、図３に示す処理が実行される。つまり、情報処理装置１ａは、グループが指定されると、グループに属するメンバーである情報処理装置１ａのユーザであるＡ男（自分）のプレゼンス情報の表示も含め、他のメンバーＢ子、Ｃ太、Ｄ郎、Ｅ奈、Ｆ斗のプレゼンス情報を表示する際に、図３に示す処理を実行する。
【００４３】
（ステップＳ２）
通信判定部１２によって通信部１１による通信状態が正常であると判定された場合、表示制御部１３は、プレゼンス情報に含まれるアクセス可否情報に基づき、各ユーザのアクセス設定が許可状態であるか否かを判定する。
（ステップＳ３）
そして、アクセス可否情報が、アクセス設定が許可状態であることを示す情報であると判定した場合、表示制御部１３は、プレゼンス情報のユーザ現状情報に基づき、記憶部１５から該当するユーザの現状に応じた画像（動画像又は静止画像）を読み出し、表示部１６に表示する。つまり、ステップＳ３の処理として、表示制御部１３は、記憶部１５に記憶されているユーザの現状に応じた画像に、何ら画像処理を行うことなく、そのまま表示する。
【００４４】
（ステップＳ４）
一方、アクセス可否情報が、アクセス設定が不許可状態であることを示す情報であると判定した場合、表示制御部１３は、記憶部１５からスノーノイズの動画像の画像データを読み出し、表示部１６に表示する。つまり、ステップＳ４の処理として、表示制御部１３は、プレゼンス情報に含まれるユーザ現状情報が示すユーザの現状に応じた画像に替えて、アクセス設定が不許可に設定されており、且つ、通信状態が正常である場合に表示する画像として予め決められている画像（本実施形態では、スノーノイズの動画像）を、表示部１６に表示する。
【００４５】
（ステップＳＴ５）
一方、ステップＳＴ１の処理において、通信判定部１２が、通信部１１による通信状態が正常であると判定した場合、表示制御部１３が、プレゼンス情報に含まれるアクセス可否情報が、有効な情報であるか否かを判定する。例えば、表示制御部１３は、プレゼンス情報に含まれるアクセス可否情報の作成日時が所定期間内のものであれば、当該アクセス可否情報が有効であると判定する。
【００４６】
（ステップＳ６）
プレゼンス情報に含まれるアクセス可否情報が、有効な情報であると判定した場合、表示制御部１３は、プレゼンス情報に含まれるアクセス可否情報に基づき、各ユーザのアクセス設定が許可状態であるか否かを判定する。
【００４７】
（ステップＳ７）
そして、アクセス可否情報が、アクセス設定が許可状態であることを示す情報であると判定した場合、表示制御部１３は、プレゼンス情報に含まれるユーザ現状情報に基づき、記憶部１５から該当するユーザの現状に応じた画像を読み出し、読みだした画像に対して、通信状態が異常であることを表す画像加工処理を施し、表示部１６に表示する。つまり、ステップＳ７の処理として、表示制御部１３は、記憶部１５に記憶されているユーザの現状に応じた画像に、通信状態が異常であることを表す画像加工処理、例えば、ユーザの現状に応じた静止画像又は動画像に、ゴースト障害、パルスノイズ、又はスノーノイズを模すための画像加工処理を行う。
【００４８】
（ステップＳ８）
一方、アクセス可否情報が、アクセス設定が不許可状態であることを示す情報であると判定した場合、表示制御部１３は、記憶部１５からスノーノイズの静止画像の画像データを読み出し、表示部１６に表示する。つまり、ステップＳ８の処理として、表示制御部１３は、プレゼンス情報に含まれるユーザ現状情報が示すユーザの現状に応じた画像に替えて、アクセス設定が不許可に設定されており、且つ、通信状態が異常である場合に表示する画像として予め決められている画像（本実施形態では、スノーノイズの静止画像）を、表示部１６に表示する。
【００４９】
（ステップＳＴ９）
また、ステップＳＴ５の処理において、プレゼンス情報に含まれるアクセス可否情報が、有効な情報でないと判定した場合、表示制御部１３は、記憶部１５からスノーノイズの静止画像、黒画像、又は白画像の画像データを読み出し、表示部１６に表示する。つまり、ステップＳ９の処理として、表示制御部１３は、プレゼンス情報のユーザ現状情報が示すユーザの現状に応じた画像に替えて、アクセス設定が不明であり、且つ、通信状態が異常である場合に表示する画像として予め決められている画像（本実施形態では、スノーノイズの静止画像、黒画像、又は白画像）を、表示部１６に表示する。
【００５０】
ここで、図５又は図６に示すプレゼンス画像を表示する際の、具体的な表示方法の一例について説明する。
例えば、通信判定部１２は、ユーザ名「Ｂ子」のプレゼンス情報を、通信部１１を介してプレゼンス情報管理サーバ４から受信した場合、プレゼンス情報に含まれる通信状態情報（例えば、プレゼンス情報の更新日時の情報やログイン状態を表す情報）に基づいて、ユーザ名「Ｂ子」との間の通信が正常か否かを判定する（ステップＳ１）。また、表示制御部１３は、プレゼンス情報に含まれるアクセス可否情報に基づいて、ユーザ名「Ｂ子」によるアクセス設定が許可されているか否かを判定する（ステップＳ２）。
図５に示すユーザ表示領域１６１ｂのプレゼンス画面を表示する場合、ユーザ名「Ｂ子」のプレゼンス情報に含まれる通信状態情報は、通信状態が正常であることを示す情報であり、プレゼンス情報に含まれるアクセス可否情報は、アクセス設定が許可状態であることを示す情報である。このため、表示制御部１３は、ユーザ名「Ｂ子」のプレゼンス情報に含まれるユーザ現状情報に基づき、ユーザの現状に応じた画像データを記憶部１５から読み出して、表示部１６のユーザ名「Ｂ子」のユーザ表示領域１６１ｂに表示する（ステップＳ３）。
なお、詳細な説明は省略するが、図５に示す画面の表示時において、表示制御部１３は、Ａ男，Ｄ郎，Ｅ奈に割り当てられたユーザ表示領域１６１ａ，ｄ，ｅにも、Ｂ子に割り当てられた１６１ｂにプレゼンス画像を表示する処理と同様に、それぞれのプレゼンス情報に含まれるユーザ現状情報に基づき、記憶部１５から読み出したユーザの現状に応じたプレゼンス画像を表示する（ステップＳ３）。
【００５１】
また、図５及び図６に示すユーザ表示領域１６１ｃのプレゼンス画面を表示する場合、ユーザ名「Ｃ太」のプレゼンス情報に基づく表示処理は、例えば次のようにして実行される。すなわち、ステップＳ１で、通信判定部１２が、ユーザ名「Ｃ太」のプレゼンス情報を、通信部１１を介してプレゼンス情報管理サーバ４から取得する。
そして、通信判定部１２は、ユーザ名「Ｃ太」のプレゼンス情報を受信した場合、プレゼンス情報に含まれる通信状態情報（更新日時の情報やログイン状態を表す情報）に基づいて、ユーザ名「Ｃ太」と通信網２との間の通信が正常か否かを判定する。ここで、ユーザ名「Ｃ太」のプレゼンス情報に含まれる通信状態情報が、通信状態が正常であることを示す情報であったとする。この場合、通信判定部１２は、プレゼンス情報に含まれる通信状態情報に基づき、通信状態が正常であると判定する（ステップＳ１で「Ｙｅｓ」）。次いで、表示制御部１３が、ユーザ名「Ｃ太」のプレゼンス情報に含まれるアクセス可否情報に基づき、「Ｃ太」がアクセス許可状態か否かを判定する（ステップＳ２）。ここで、ユーザ名「Ｃ太」のプレゼンス情報に含まれるアクセス可否情報がアクセス設定が不許可状態であることを示す情報であったとする。この場合、表示制御部１３は、記憶部１５からスノーノイズ（動画像）の画像データを読み出し、表示部１６のユーザ名「Ｃ太」のユーザ表示領域１６１ｃに表示する。
【００５２】
また、図５及び図６に示すユーザ表示領域１６１ｆのプレゼンス画面を表示する場合、ユーザ名「Ｆ斗」のプレゼンス情報の表示理は、例えば次のようにして実行される。すなわち、ステップＳ１で、通信判定部１２が、ユーザ名「Ｆ斗」のプレゼンス情報を、通信部１１を介してプレゼンス情報管理サーバ４から取得する。
そして、通信判定部１２は、ユーザ名「Ｆ斗」のプレゼンス情報を受信した場合、プレゼンス情報に含まれる通信状態情報（更新日時の情報やログイン状態を表す情報）に基づいて、ユーザ名「Ｆ斗」と通信網２との間の通信が正常か否かを判定する。ここで、ユーザ名「Ｆ斗」のプレゼンス情報に含まれる通信状態情報が、通信状態が異常であることを示す情報であったとする。この場合、通信判定部１２は、プレゼンス情報に含まれる通信状態情報に基づき、通信状態が異常であると判定する（ステップＳ１で「Ｎｏ」）。次いで、表示制御部１３が、ユーザ名「Ｆ斗」のプレゼンス情報に含まれるアクセス可否情報に基づき、「Ｆ斗」のプレゼンス情報が過去の所定期間内に更新されたもの（有効なもの）が記憶部１５内にあるか否かを判定する（ステップＳ５）。
ここで、過去の所定期間内に更新されたユーザ名「Ｆ斗」のプレゼンス情報が記憶部１５内にあった場合（ステップＳ５で「Ｙｅｓ」の場合）、表示制御部１３は、ステップＳ６の判定を行う。すなわち、表示制御部１３は、記憶部１５に記憶されていたユーザ名「Ｆ斗」のプレゼンス情報に含まれるアクセス可否情報に基づき、アクセス許可であるか否かを判定する（ステップＳ６）。
ここで、ユーザ名「Ｆ斗」のプレゼンス情報に含まれるアクセス可否情報が、アクセス不許可を示す情報である場合（ステップＳ６で「Ｎｏ」の場合）、表示制御部１３は、記憶部１５からスノーノイズ（静止画像）の画像データを読み出して、表示部１６のユーザ名「Ｆ斗」のユーザ表示領域１６１ｆに表示する（ステップＳ８）。
【００５３】
図４は、図３に示した情報処理装置１ａによるプレゼンス情報の提示動作を説明するための図表である。図４には、図３を用いて説明した表示処理に用いられる判定条件と、各ユーザ表示領域における表示画像との関係の一例を示す。図４に示した通り、本実施形態では、プレゼンス情報に含まれるアクセス可否情報がアクセス許可を示す情報であり、プレゼンス情報に含まれる通信状態情報が、通信状態が正常であることを示す情報であれば、プレゼンス情報を示す静止画像又は動画像を表示する。プレゼンス情報を示す静止画像又は動画像にゴースト障害、パルスノイズ又はスノーノイズを模した加工処理を行った静止画像又は動画像を表示する。
【００５４】
また、プレゼンス情報がアクセス不許可であり、通信状態が正常であれば、スノーノイズの動画像を表示する。また、プレゼンス情報がアクセス不許可であり、通信状態が異常であれば、スノーノイズの静止画を表示する。
【００５５】
また、プレゼンス情報による判断ではアクセス許可不明であり、通信状態が異常であれば、スノーノイズ（静止画像）又は黒（若しくは白）画像を表示する。
【００５６】
すなわち、本実施形態に係る情報処理装置１ａ，１ｂ，１ｃ…は、図４に示したような条件に従って、複数のユーザ間でプレゼンス情報を共有するためのユーザインタフェースを提供する。その際、あるユーザのプレゼンスがオフライン（アクセス不可、アクセス不許可等）であることを提示するために、スノーノイズ（砂嵐）の動画像を表示している。さらに、ユーザとの間の通信経路に不具合がある場合には、スノーノイズの静止画像を表示している。
また、プレゼンスがオンラインである場合で、ユーザとの間の通信経路に不具合があるときには、画像にゴースト障害、パルスノイズ、またはスノーノイズを模した加工を施して表示する。このように、本実施形態では、アクセス設定が不許可状態である場合に、通信状態の正常又は異常との違いによって、ユーザ表示領域内に表示するプレゼンス画像を異ならせるようにした。したがって、各ユーザのプレゼンス情報と通信状態とを、ユーザに対して直感的に、分かり易く提示することができる。
【００５７】
また、特に、プレゼンス情報が「アクセス不許可（オフライン）」であることを、アナログテレビのスノーノイズ（動画）で示しているので、画像と、画像が表す意味とが直感的に把握でき、分かり易い、という効果が得られる。つまり、動画像であるため、受信状態は良いが、通信相手の現状を表示することができない状態であると、直感的に認識することができる。
さらに、通信不具合が発生している時はスノーノイズの静止画に切り替えているので、通信不具合の有無を明確に直感的に知らせることができる。つまり、静止画像であるため、通信状態が悪く、さらに、通信相手の現状を表示することができない状態であると、直感的に認識することができる。
このように、アナログテレビで発生する現象を模すことで、多くの人にとって分かり易い画像表現を提供することができる。
【００５８】
また、上記のように、スノーノイズの動画像と静止画像とを通信状態に応じて切り替えることで次のような効果が得られる。すなわち、例えば、プレゼンス情報の提示において、アクセス不許可を表示する際に、例えば、真っ黒な画像や真っ白な画像にすると、本当にアクセス不許可であるのか、通信の不具合のためであるのかが分からなくなると考えられる。また、アクセス不許可以外のプレゼンス情報を表示する際にも、それが静止画である場合、同様にそれが最新のプレゼンス情報を示しているのか、通信の不具合のために過去のプレゼンス情報を示しているのかが分からなくなると考えられる。しかしながら、本実施形態では、図４に示したように、動画像と静止画像あるいは加工画像を使い分けることで、プレゼンス情報を画像で示す際に、最新のプレゼンス情報であるか否か、通信の不具合があるか否かを明確に直感的に知らせることができる。
【００５９】
なお、本発明の実施の形態は、上記のものに限定されず、次のような変形等が可能である。例えば、表示部１６にプレゼンス情報を１度に表示するユーザの人数は、６人に限らず、例えば１人から５人あるいは６人より多い複数であってもよい。また、表示するユーザを切り替える際には、例えば図５に示したテレビ受信機の画像１６１ａ１のチャンネルスイッチに当たる画像１６６ａをアイコンとして使用することができる。また、スノーノイズの動画像は、例えば、ノイズの模様や位置が異なる最少２枚の静止画像を交互に繰り返して表示することで表現することができる。また、本発明の情報処理装置１ａは、ＣＰＵ１０及びその周辺装置とＣＰＵ１０によって実行されるプログラムとを用いて構成することができる。その場合のプログラムの一部又は全部は、コンピュータ読み取り可能な記録媒体や通信回線を介して市場に流通させることができる。
【００６０】
また、本実施の形態に係る情報処理装置は、内部にコンピュータシステムを有している。そして、動作の過程は、プログラムの形式でコンピュータ読み取り可能な記録媒体に記憶されており、このプログラムをコンピュータシステムが読み出して実行することによって、上記処理が行われる。ここでいう「コンピュータシステム」とは、ＣＰＵ及び各種メモリやＯＳ、周辺機器等のハードウェアを含むものである。
また、「コンピュータシステム」は、ＷＷＷシステムを利用している場合であれば、ホームページ提供環境（あるいは表示環境）も含むものとする。
【００６１】
また、各ステップを実現するためのプログラムをコンピュータ読み取り可能な記録媒体に記録して、また、この機能を実現するためのプログラムをコンピュータ読み取り可能な記録媒体に記録して、この記録媒体に記録されたプログラムをコンピュータシステムに読み込ませ、実行することにより、検出対象物の形状情報の推定値を算出する処理を行ってもよい。
また、「コンピュータ読み取り可能な記録媒体」とは、光磁気ディスク、ＲＯＭ、フラッシュメモリ等の書き込み可能な不揮発性メモリ、ＣＤ−ＲＯＭ等の可搬媒体、コンピュータシステムに内蔵されるハードディスク等の記憶装置のことをいう。
【００６２】
さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えばＤＲＡＭ（Dynamic Random Access Memory））のように、一定時間プログラムを保持しているものも含むものとする。
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
また、上記プログラムは、前述した機能の一部を実現するためのものであっても良い。さらに、前述した機能をコンピュータシステムに既に記録されているプログラムとの組合せで実現できるもの、いわゆる差分ファイル（差分プログラム）であっても良い。
【符号の説明】
【００６３】
１（１ａ，１ｂ，１ｃ…）  情報処理装置
１１  通信部
１２  通信判定部
１３  表示制御部
【図１】
2014192714.tif 000003
【図２】
2014192714.tif 000004
【図３】
2014192714.tif 000005
【図４】
2014192714.tif 000006
【図５】
2014192714.tif 000007
【図６】
2014192714.tif 000008